(57)【要約】【課題】  木部材と該木部材を接合するための接合体とに関する接合構造の構造計算を行うことができる。【解決手段】  接合させる一の木部材と他の木部材と、接合箇所において前記一の木部材と他の木部材との両方に挿通させて、接合状態を保たせるための棒状の接合体と、を備え、前記接合体が、胴体周上に平行な２本の窪みを有し、前記一の木部材と他の木部材との接合面が前記２本の窪みの間となるように配置されることを特徴とする。  また、前記接合面において、前記接合体の周囲を穴状に加工することを特徴とする。【選択図】図５
2020051062.tif 000002
【特許請求の範囲】
【請求項１】
接合させる一の木部材と他の木部材と、
接合箇所において前記一の木部材と他の木部材との両方に挿通させて、接合状態を保たせるための棒状の接合体と、を備え、
前記接合体が、胴体周上に平行な２本の窪みを有し、前記一の木部材と他の木部材との接合面が前記２本の窪みの間となるように配置されることを特徴とする木部材の接合構造。
【請求項２】
前記接合面において、前記接合体の周囲を穴状に加工することを特徴とする請求項１に記載の木部材の接合構造。
【請求項３】
接合箇所において一の木部材と他の木部材との両方に挿通させて、接合状態を保たせるための棒状の接合体であって、
胴体周上に平行な２本の窪みを有し、前記２本の窪みの間に前記一の木部材と他の木部材との接合面を配置することを特徴とする接合体。
【発明の詳細な説明】
【技術分野】
【０００１】
木部材どうしを接合させる接合構造及び接合体の技術に関する。
【背景技術】
【０００２】
近年、木部材どうしの接合状態を保持させるための技術について、研究・開発が盛んに行われている。
【０００３】
例えば、特許文献１では、木質の軸組構造体における柱や梁等の木部材の接合構造において、在来工法である各種接手等の剪断荷重を受ける部分の複雑な加工や組み込みを不要にすると共に、充分な接合強度を確保しつつ構造をより簡易化することにより、短期での施工を可能とする技術が提案されている。
【先行技術文献】
【特許文献】
【０００４】
【特許文献１】特開２０１８−２１４４３号公報
【発明の概要】
【発明が解決しようとする課題】
【０００５】
図１で示すように、木部材どうしを棒状接合体によって接合する接合構造の構造計算を行おうとすると、接合される木部材間にすべりが起きるとき、棒状接合体と接する部位の木部材の変形を考慮する必要があるため、理論的な構造計算を行うことが難しくなる。
【０００６】
従って、上記技術については、接合する木部材どうしが“すべる”とき、木部材の変形を考慮する必要があるため、木部材・接合体の接合箇所の強度（接合状態を保つことができる限界点）を明確にすることができないという問題点がある。換言すれば、上記技術については、木部材・接合体の接合箇所における破壊メカニズムを解明することができず、接合構造の構造計算を行うことができないという問題点がある。
【０００７】
そこで本発明では、上記問題点に鑑み、木部材と該木部材を接合するための接合体とに関する接合構造の構造計算を行うことができる木部材の接合構造を提供することを目的とする。
【課題を解決するための手段】
【０００８】
開示する木部材の接合構造の一形態は、接合させる一の木部材と他の木部材と、接合箇所において前記一の木部材と他の木部材との両方に挿通させて、接合状態を保たせるための棒状の接合体と、を備え、前記接合体が、胴体周上に平行な２本の窪みを有し、前記一の木部材と他の木部材との接合面が前記２本の窪みの間となるように配置されることを特徴とする。
また、開示する木部材の接合構造の一形態は、上記構成に加え、前記接合面において、前記接合体の周囲を穴状に加工することを特徴とする。
【０００９】
開示する接合体の一形態は、接合箇所において一の木部材と他の木部材との両方に挿通させて、接合状態を保たせるための棒状の接合体であって、胴体周上に平行な２本の窪みを有し、前記２本の窪みの間に前記一の木部材と他の木部材との接合面を配置することを特徴とする。
【発明の効果】
【００１０】
開示する木部材の接合構造は、木部材と該木部材を接合するための接合体とに関する接合構造の構造計算を行うことができる。
【図面の簡単な説明】
【００１１】
【図１】すべりが起きたときの木部材及び接合体の状態を示す図である。
【図２】本実施の形態に係る接合体を示す図である。
【図３】本実施の形態に係る木部材の接合構造を示す図である。
【図４】本実施の形態に係る木部材の接合構造（別形態）を示す図である。
【図５】本実施の形態に係る木部材の接合構造（接合する木部材においてすべりが起きたとき）を示す図である。
【発明を実施するための形態】
【００１２】
図面を参照しながら、本発明を実施するための形態について説明する。
（本実施の形態に係る木部材の接合構造の原理）
【００１３】
図２乃至５を用いて、本実施の形態に係る木部材の接合構造１の原理について説明する。図２は、接合体２の構造を示す図であり、図３及び４は、接合構造１を示す図であり、図５は、接合体２によって接合される木部材６、８においてすべりが起きたときの接合構造１の状態を示す図である。
接合構造１は、接合させる木部材に挿通させ、接合状態を保たせるための棒状の接合体２、接合体２によって接合させる一の木部材６、他の木部材８を有する。
【００１４】
図２で示すように、接合体２は、棒状の外形状を成し、胴体周上に所定間隔で離れた２本の溝４を備える。接合体２は、一方端にネジ状の溝が施された形状（例えば、ラグスクリュー）であっても良い。
【００１５】
図３で示すように、接合体２は、接合させる一の木部材６、他の木部材８に挿通させることによって、これらの接合状態を維持させる。一の木部材６、他の木部材８の接合箇所に孔を開け、その孔に接合体２を挿通させる形態でも良い。
【００１６】
また、接合体２は、２本の溝４の間に、一の木部材６と他の木部材８との接合面１０が位置するように配置される。接合される木部材６、８間にすべりが起きるとき、接合体２は、溝４部分で折れ曲がり、破断する。
【００１７】
図４で示すように、接合構造１は、一の木部材６と他の木部材８との接合面１０において、接合体２の周囲が穴１２状に加工される形態としても良い。こうすることによって、接合される木部材６、８間にすべりが起きるとき、接合体２が溝４部分でより折れ曲がり易くなるため、接合構造１の構造計算において、接合体２と接する部位における木部材６、８の変形を考慮する必要性が低下し、理論的な構造計算がより容易になる。
【００１８】
図５で示すように、接合構造１における一の木部材６と他の木部材８との間においてすべりが生じるとき、接合体２は、溝４部分で折れ曲がり、破断するため、接合体２・木部材６、８間の接合箇所のせん断剛性は、接合体２の曲げ剛性として計算できる（数値上は一致する）ので、結果的に、接合体２・木部材６、８で構成される接合構造１の構造計算を行うことができるようになる。
このように、接合構造１においては、従来厳密に計算することが困難であった接合体２・木部材６、８の接合箇所の構造計算を可能とする。
【００１９】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２０】
１    木部材の接合構造
２    接合体
４    溝
６    接合体２によって接合される木部材
８    接合体２によって接合される木部材
１０  接合面
１２  接合面の穴
【図１】
2020051062.tif 000003
【図２】
2020051062.tif 000004
【図３】
2020051062.tif 000005
【図４】
2020051062.tif 000006
【図５】
2020051062.tif 000007